(57)【要約】【課題】被験者が不快感を感じることなく長時間の計測を可能とする生体情報測定装置を実現すること。【解決手段】被験者の生体情報を検出する生体情報検出装置において、略半円状で前記被験者の頭部に固定されるヘッドセットと、前記ヘッドセットに固定されるチューブと、前記チューブ内に挿入され前記チューブの先端にセンサ部が露出して前記被験者の鼻孔の近辺に配置される熱電対、とを具備し、前記熱電対により前記被験者の呼吸による温度の変化を測定して前記被験者の呼吸に関する情報を生体情報として検出することを特徴とする生体情報測定装置。【選択図】　　　図１
2004033404.tif 000002
【特許請求の範囲】
【請求項１】
被験者の生体情報を検出する生体情報検出装置において、
略半円状で前記被験者の頭部に固定されるヘッドセットと、
前記ヘッドセットに固定されるチューブと、
前記チューブ内に挿入され前記チューブの先端にセンサ部が露出して前記被験者の鼻孔の近辺に配置される熱電対、とを具備し、
前記熱電対により前記被験者の呼吸による温度の変化を測定して前記被験者の呼吸に関する情報を生体情報として検出することを特徴とする生体情報測定装置。
【請求項２】
請求項１記載の生体情報測定装置において、
前記熱電対の出力を増幅するアンプと、
前記アンプの出力に基づいて前記被験者の呼吸波形を表示させる表示器、とを設けたことを特徴とする生体情報測定装置。
【請求項３】
請求項１記載の生体情報測定装置において、
前記ヘッドセットに接続され前記被験者の発話を検出するマイクを設けたことを特徴とする生体情報測定装置。
【請求項４】
請求項１記載の生体情報測定装置において、
前記ヘッドセットに接続され前記被験者の脈圧を検出する脈圧センサを設けたことを特徴とする生体情報測定装置。
【発明の詳細な説明】
【０００１】
【発明の属する技術分野】
本発明は、人間工学の研究及び臨床診断において、例えば呼吸機能等の生体情報の測定を行う生体情報測定装置に関するものである。
【０００２】
【従来の技術】
従来の生体情報測定装置は、生体情報として例えば呼吸機能を測定する場合、例えば、以下のような方式による測定装置がある。
（１）　図３に示すように胸部に収縮する導電性バンド２０を巻き、呼吸時の胸部変化を計測する方式。
（２）　図４に示すようにサーミスタ２１を取付けたピックアップを鼻孔へ固定しその温度変化を測定する方式。
（３）　図５に示すようにマスク２２を被験者に装着させそこから呼吸を管で導き気流の変化を測定する方式。
【０００３】
【発明が解決しようとする課題】
しかし、上述のような生体情報測定装置においては、以下のような問題点があった。
（１）　図３に示した胸部バンド固定式では常に被験者に圧迫感を与えてしまい、
また、胸部の面積変化を導電性バンドの収縮から計測するために真の呼吸状態を計測することはできない。
（２）　図４に示したサーミスタ呼吸ピックアップ方式では、サーミスタそのもの
は被験者に接触することはないが、クリップを鼻孔へ直接取付けるために不快感があり、また多数の被験者を扱う場合は敬遠されやすい。
また、サーミスタはその特性上応答速度が低いため、詳細な呼吸波形を測定することは困難である。
（３）　図５に示した気流抵抗管方式では、気流を正確に計素行するためにマスク
が必要であり、被験者にマスク装着という負担がかかる。
この方式は運動負荷などをかけた場合の生理計測には有利であるが、運動量のない場合の計測では手軽な方法とはいえない。
【０００４】
本発明は上述した問題点を解決するためになされたものであり、被験者が不快感を感じることなく長時間の計測を可能とする生体情報測定装置を実現することを目的とする。
【０００５】
【課題を解決するための手段】
本発明の請求項１においては、被験者の生体情報を検出する生体情報検出装置において、略半円状で前記被験者の頭部に固定されるヘッドセットと、前記ヘッドセットに固定されるチューブと、前記チューブ内に挿入され前記チューブの先端にセンサ部が露出して前記被験者の鼻孔の近辺に配置される熱電対、とを具備し、前記熱電対により前記被験者の呼吸による温度の変化を測定して前記被験者の呼吸に関する情報を生体情報として検出することを特徴とする生体情報測定装置である。
【０００６】
本発明の請求項２においては、請求項１記載の生体情報測定装置において、前記熱電対の出力を増幅するアンプと、前記アンプの出力に基づいて前記被験者の呼吸波形を表示させる表示器、とを設けたことを特徴とする生体情報測定装置である。
【０００７】
本発明の請求項３においては、請求項１記載の生体情報測定装置において、前記ヘッドセットに接続され前記被験者の発話を検出するマイクを設けたことを特徴とする生体情報測定装置である。
【０００８】
本発明の請求項４においては、請求項１記載の生体情報測定装置において、前記ヘッドセットに接続され前記被験者の脈圧を検出する脈圧センサを設けたことを特徴とする生体情報測定装置である。
【０００９】
【発明の実施の形態】
次に、本発明の実施例について図面を用いて説明する。
図１は本発明の一実施例の構成を示す図である。
図１において、１は被験者、２は略半円状で弾性を有し被験者１の頭部に固定されるヘッドセット、３はヘッドセット２に固定される中空のチューブ、４はチューブ３内に挿入される呼吸センサとしての熱電対、５はチューブ４の先端に露出して被験者１の鼻孔の近辺に配置される熱電対４のセンサ部である。
【００１０】
そして、６はヘッドセット２に接続されて被験者１の口の近傍に配置され被験者１の発話を検出するマイク、７はヘッドセット２に接続されて被験者１のこめかみの近傍に配置され被験者１の脈圧を検出する脈圧センサである。
【００１１】
そして、８は熱電対４の出力を増幅するアンプ、９はアンプ８の出力に基づいて被験者１の呼吸波形を表示させる表示器、１０はアンプ８の出力を記録するパーソナルコンピュータ（以下、ＰＣと記す）である。
【００１２】
被験者１の鼻孔近傍の温度は、被験者１の呼吸によって変化する（息を吐くと暖められるため温度が上昇する）ので、熱電対４のセンサ部５はこの温度変化を検出する。
熱電対４の出力は微弱であるのでアンプ８で増幅され、表示器９は例えば図２に示すような呼吸波形を表示させる。
【００１３】
そして、得られた呼吸波形を周波数解析することにより、波形の形、数値変化等の変動成分を抽出し、例えば、呼吸周波数は約０．３３Ｈｚであり、呼吸回数は１分間に約１７回、呼吸時間は１周期約４秒であるなどの情報や呼吸停止状態を示す情報など、呼吸に関連する情報を得ることができる。
【００１４】
また、マイク６は被験者１の発話を検出し、脈圧センサ７は被験者１の脈（脈拍）を検出するので、被験者１にこれらのセンサが接続された一つのヘッドセット２を装着するだけで、被験者１に抵抗感を与えることなく複数の生体情報を得ることができる。
【００１５】
従って、被験者の体に直接装着するセンサの数を減らすことができ、より多くの生体情報を被験者に負担を掛けることなく長時間記録することができる。
また、熱電対はサーミスタに比較して応答速度が速いので、より精細な呼吸検出を行うことができる。
【００１６】
【発明の効果】
以上説明したように本発明によれば、ヘッドセットに複数のセンサを取付けで被験者に装着するようにしたので、被験者が不快感を感じることなく長時間の計測を可能とする生体情報測定装置を実現することができる。
【００１７】
また、本発明によれば、被験者の体に直接装着するセンサの数を減らすことができ、より多くの生体情報を被験者に負担を掛けることなく長時間記録することができる。
【００１８】
また、本発明によれば、呼吸センサとしてサーミスタよりも応答速度の速い熱電対を使用するようにしたので、より精細な呼吸検出を行うことができる。
【図面の簡単な説明】
【図１】本発明による一実施例の構成を示す図である。
【図２】測定された呼吸波形を示す図である。
【図３】従来の呼吸測定装置の構成を示す図である。
【図４】従来の呼吸測定装置の構成を示す図である。
【図５】従来の呼吸測定装置の構成を示す図である。
【符号の説明】
１　被験者
２　ヘッドセット
３　チューブ
４　熱電対
５　センサ部
６　マイク
７　脈圧センサ
８　アンプ
９　表示器
【図１】
2004033404.tif 000003
【図２】
2004033404.tif 000004
【図３】
2004033404.tif 000005
【図４】
2004033404.tif 000006
【図５】
2004033404.tif 000007